(57)【要約】【課題】  読取光の照射を受けて放射線画像に応じた電荷信号を出力する放射線画像検出器から出力された電荷信号を、積分アンプにより積分して画像信号を取得する放射線画像読取装置において、読取光源にパルス光源を用いることなく、放射線画像検出器の応答遅れによるノイズの発生を回避する。【解決手段】  放射線画像検出器１０の読取光が照射される側に、線状電極１５ａの長さ方向に直交する方向に延びる線状の遮光部１８ａとこの遮光部１８ａと平行な線状の読取光透過部１８ｂとが交互に多数配置された遮光ストライプ１８を設け、連続的に読取光を発する読取光源を用いて走査を行った場合でも、遮光ストライプ１８によって読取光を間歇的に遮光し、放射線画像検出器１０にパルス状に読取光が照射されるようにする。【選択図】          図２
2005164415.tif 000002
【特許請求の範囲】
【請求項１】
放射線画像を担持する放射線の照射を受けて前記放射線画像を記録するとともに、平行に配列された多数の線状電極を有し、該線状電極の長さ方向に直交する方向に延びる線状の読取光で前記長さ方向に走査されることにより前記放射線画像に応じた電荷信号を出力する放射線画像検出器と、前記線状の読取光を前記長さ方向に走査する読取光源部と、該読取光源部の線状の読取光の走査に応じて前記各線状電極から出力された前記電荷信号を積分し、該積分された画像信号を出力する多数の積分アンプを有する画像信号検出部と、該画像信号検出部の動作タイミングを制御する検出部制御手段とを備えた放射線画像読取装置において、
前記放射線画像検出器が、前記読取光が照射される側に、前記線状電極の長さ方向に直交する方向に延びる線状の遮光部と該遮光部と平行な線状の読取光透過部とが交互に多数配置された遮光ストライプを備えたものであることを特徴とする放射線画像読取装置。
【請求項２】
前記放射線画像検出器における前記読取光の走査開始位置において、前記読取光を検出する読取光検出手段を備え、
前記検出部制御手段が、前記読取光検出手段による読取光の検出に基づいて、前記積分アンプの動作タイミングを制御する制御信号を出力するものであることを特徴とする請求項１記載の放射線画像読取装置。
【請求項３】
放射線画像を担持する放射線の照射を受けて前記放射線画像を記録するとともに、平行に配列された多数の線状電極を有し、該線状電極の長さ方向に直交する方向に延びる線状の読取光で前記長さ方向に走査されることにより前記放射線画像に応じた電荷信号を出力する放射線画像検出器において、
前記読取光が照射される側に、前記線状電極の長さ方向に直交する方向に延びる線状の遮光部と該遮光部と平行な線状の読取光透過部とが交互に多数配置された遮光ストライプを備えたことを特徴とする放射線画像検出器。
【発明の詳細な説明】
【技術分野】
【０００１】
本発明は、放射線画像を担持する放射線の照射を受けて放射線画像を記録するとともに、読取光の照射を受けて上記放射線画像に応じた電荷信号を出力する放射線画像検出器から出力された上記電荷信号を、積分アンプにより積分して画像信号を取得する放射線画像読取装置、およびこの装置に用いる放射線画像検出器に関するものである。
【背景技術】
【０００２】
従来より、医療分野などにおいて、被写体を透過した放射線の照射を受けて被写体に関する放射線画像を記録し、その記録された放射線画像に応じた電荷信号を出力する放射線画像検出器が各種提案、実用化されている。
【０００３】
上記放射線画像検出器としては、たとえば、放射線の照射により電荷を発生する半導体材料を利用した放射線画像検出器があり、そのような放射線画像検出器として、いわゆる光読取方式のものが提案されている。
【０００４】
上記光読取方式の放射線画像検出器としては、特許文献１に、放射線を透過する第１の電極層、放射線の照射を受けることにより電荷を発生する記録用光導電層、潜像電荷に対しては絶縁体として作用し、かつ潜像電荷と逆極性の輸送電荷に対しては導電体として作用する電荷輸送層、読取光の照射を受けることにより電荷を発生する読取用光導電層、および読取光を透過する線状電極が平行に配列された第２の電極層をこの順に積層してなる放射線画像検出器が提案されている。
【０００５】
上記放射線画像検出器においては、第１の電極層側から放射線画像を担持した放射線が照射され、その照射に応じて記録用光導電層において発生した電荷が記録用光導電層と電荷輸送層との界面に蓄積されることにより放射線画像の記録が行われる。そして、線状の読取光の線状電極の長さ方向への走査により、読取用光導電層において電荷が発生し、その電荷が上記蓄積された電荷と結合するとともに線状電極の流れ出し、その線状電極に流れ出した電荷信号が線状電極に接続された積分アンプ（いわゆるチャージアンプ）により積分されることにより画像信号が取得されて放射線画像の読取りが行われる。
【０００６】
ここで、上記のようにして放射線画像の読取りを行う際における、上記読取光の照射時間と積分アンプの積分時間との関係を示すタイミングチャート、上記読取光が照射された場合に放射線画像検出器の線状電極から出力される信号電流、および積分アンプの出力電圧の大きさを図５に示す。なお、放射線画像検出器には、図５に示すような分布で放射線画像が記録されている、つまり、読取光源が延びる方向と同じ方向に延びる線画像が、読取光源の走査方向、つまり図５における矢印Ｘ方向に平行に所定の間隔を空けて記録されているものとする。
【０００７】
図５に示すように、従来は、読取光は、連続的に読取光を発する読取光源を線状電極の長さ方向に移動させることにより照射され、その読取光源の移動に応じて積分アンプのリセットスイッチをＯＮ・ＯＦＦさせることにより積分時間毎の画像信号が取得されていた。
【０００８】
【特許文献１】特開２０００−２８４０５６号公報
【発明の開示】
【発明が解決しようとする課題】
【０００９】
しかしながら、上記のように読取光を照射したのでは、放射線画像検出器の読取光に対する応答速度が遅いため、たとえば、図５に示すように、積分時間Ｓ１における読取光の照射に応じて放射線画像検出器から出力された信号電流が、次の積分時間Ｓ２においても放射線画像検出器から出力されてしまい、本来なら信号電流が０でなければならない積分時間Ｓ２においても信号電流が０にならず（図５の斜線部分参照）、その分の出力電圧ΔＶが積分アンプから画像信号として出力され、それがノイズとなって読み取られた放射線画像の画質を劣化させていた。
【００１０】
このような問題を解決するため、読取光源として連続的に読取光を発するものを使用するのではなく、パルス光源を利用して読取光をパルス状に照射する、つまり読取光を積分時間毎に非連続的に照射して、次の積分時間までの間に読取光が照射されない時間、すなわち放射線画像検出器に電荷信号を発生させなくするとともに、直前に照射された読取光によって発生した応答遅れ信号を検出する時間を設けることによって、次の積分時間に影響を及ぼさないようにする方法も提案されているが、パルス光源を用いた場合、スイッチのオンとオフとの切替時にノイズが発生し、放射線画像のＳ／Ｎを劣化させるという問題がある。
【００１１】
本発明は、上記事情に鑑み、放射線画像を担持する放射線の照射を受けて放射線画像を記録するとともに、読取光の照射を受けて上記放射線画像に応じた電荷信号を出力する放射線画像検出器から出力された上記電荷信号を、積分アンプにより積分して画像信号を取得する放射線画像読取装置、およびこの装置に用いる放射線画像検出器において、パルス光源を用いることなく、上記のような放射線画像検出器の応答遅れによるノイズの発生を回避することにより読み取られた放射線画像の画質の劣化を防止することができる放射線画像読取装置および放射線画像検出器を提供することを目的とするものである。
【課題を解決するための手段】
【００１２】
本発明による放射線画像読取装置は、放射線画像を担持する放射線の照射を受けて放射線画像を記録するとともに、平行に配列された多数の線状電極を有し、線状電極の長さ方向に直交する方向に延びる線状の読取光で前記長さ方向に走査されることにより放射線画像に応じた電荷信号を出力する放射線画像検出器と、線状の読取光を前記長さ方向に走査する読取光源部と、読取光源部の線状の読取光の走査に応じて各線状電極から出力された電荷信号を積分し、積分された画像信号を出力する多数の積分アンプを有する画像信号検出部と、画像信号検出部の動作タイミングを制御する検出部制御手段とを備えた放射線画像読取装置において、放射線画像検出器が、読取光が照射される側に、線状電極の長さ方向に直交する方向に延びる線状の遮光部とこの遮光部と平行な線状の読取光透過部とが交互に多数配置された遮光ストライプを備えたものであることを特徴とするものである。
【００１３】
本発明による放射線画像読取装置においては、放射線画像検出器における読取光の走査開始位置において、読取光を検出する読取光検出手段を備え、検出部制御手段を、読取光検出手段による読取光の検出に基づいて、積分アンプの動作タイミングを制御する制御信号を出力するものとすることが好ましい。
【００１４】
本発明による放射線画像検出器は、放射線画像を担持する放射線の照射を受けて放射線画像を記録するとともに、平行に配列された多数の線状電極を有し、線状電極の長さ方向に直交する方向に延びる線状の読取光で前記長さ方向に走査されることにより放射線画像に応じた電荷信号を出力する放射線画像検出器において、読取光が照射される側に、線状電極の長さ方向に直交する方向に延びる線状の遮光部とこの遮光部と平行な線状の読取光透過部とが交互に多数配置された遮光ストライプを備えたことを特徴とするものである。
【発明の効果】
【００１５】
本発明の放射線画像読取装置によれば、放射線画像検出器の読取光が照射される側に、線状電極の長さ方向に直交する方向に延びる線状の遮光部とこの遮光部と平行な線状の読取光透過部とが交互に多数配置された遮光ストライプを設けたことにより、連続的に読取光を発する読取光源を用いて走査を行った場合でも、遮光ストライプによって読取光が間歇的に遮光され、放射線画像検出器にパルス状に読取光が照射されるようになるため、パルス光源を用いることなく、放射線画像検出器の応答遅れによるノイズの発生を回避して、読み取られた放射線画像の画質の劣化を防止することができる。
【００１６】
また、放射線画像検出器における読取光の走査開始位置において、読取光を検出する読取光検出手段を備え、検出部制御手段を、読取光検出手段による読取光の検出に基づいて、積分アンプの動作タイミングを制御する制御信号を出力するものとすることにより、適正なタイミングで検出を行うことが可能となる。
【００１７】
本発明の放射線画像検出器によれば、放射線画像検出器の読取光が照射される側に、線状電極の長さ方向に直交する方向に延びる線状の遮光部とこの遮光部と平行な線状の読取光透過部とが交互に多数配置された遮光ストライプを設けたことにより、連続的に読取光を発する読取光源により走査された場合でも、遮光ストライプによって読取光を間歇的に遮光し、放射線画像検出器にパルス状に読取光を照射させることができるため、放射線画像読取装置に対して、パルス光源を用いることなく、放射線画像検出器の応答遅れによるノイズの発生を回避して、読み取られた放射線画像の画質の劣化を防止させることができる。
【発明を実施するための最良の形態】
【００１８】
以下、図面を参照して本発明の放射線画像読取装置の一実施の形態を利用した放射線画像記録読取装置について説明する。図１に上記放射線画像記録読取装置の概略構成図を示す。
【００１９】
本放射線画像記録読取装置１は、図示省略した放射線源と、放射線源から射出され、被写体を通過した放射線の照射を受けて放射線画像を記録し、その放射線画像に応じた電荷信号を出力する放射線画像検出器１０と、放射線画像検出器１０を線状の読取光で走査する読取光源部２０と、読取光源部２０による読取光の走査により放射線画像検出器１０から出力された電荷信号を後述する積分アンプ３１により積分し、その積分された画像信号を出力する画像信号検出部３０と、放射線画像検出器１０における読取光の走査開始位置において、読取光を検出する読取光検出手段としての同期センサ４０と、画像信号検出部３０の動作タイミングを制御する検出部制御手段４１とを備えている。
【００２０】
放射線画像検出器１０は、詳細には、図２に示すように、放射線画像を担持した放射線を透過する第１の電極層１１、第１の電極層１１を透過した放射線の照射を受けることにより電荷を発生する記録用光導電層１２、記録用光導電層１２において発生した電荷に対しては絶縁体として作用し、且つその電荷と逆極性の輸送電荷に対しては導電体として作用する電荷輸送層１３、読取光の照射を受けることにより電荷を発生する読取用光導電層１４、および読取光を透過する線状に延びる線状電極１５ａが平行に配列された第２の電極層１５をこの順に積層してなる検出部に、絶縁層１７、線状電極１５ａの長さ方向に直交する方向に延びる線状の遮光部１８ａとこの遮光部１８ａと平行な線状の読取光透過部１８ｂとが交互に多数配置された遮光ストライプ１８をさらに積層してなるものである。そして、記録用光導電層１２と電荷輸送層１３との界面には放射線の照射量に応じて発生した電荷が蓄積される蓄電部１６が形成される。
【００２１】
なお、遮光ストライプ１８の遮光部１８ａを非導電性材料により形成した場合には、絶縁層１７を設ける必要はない。また、放射線画像検出器１０は通常不図示のガラス基板上に形成されるが、遮光ストライプ１８は、第２の電極層１５と読取光源部２０との間に配置されていればよく、検出部とガラス基盤を介して反対側に形成してもよい。
【００２２】
読取光源部２０は、線状の読取光を発する光源２１と、光源２１を移動させる不図示の移動機構とを備えている。なお、放射線画像検出器１０および光源２１は、光源２１の長さ方向と放射線画像検出器１０の線状電極１５ａの長さ方向とが略直交するように設置されている。
【００２３】
画像信号検出部３０は、放射線画像検出器１０から出力された電荷信号を積分する積分アンプ３１、積分アンプから出力された出力電圧を保持する第１および第２のサンプルホールド回路３２，３３、第１および第２のサンプルホールド回路３２，３３に保持された出力電圧の差分を画像信号として出力する差分アンプ３４、および差分アンプから出力されたアナログ画像信号をデジタル画像信号に変換するＡ／Ｄ変換器３５を備えている。なお、ノイズを低減するために積分アンプ３１とサンプルホールド回路３２,３３との間にローパスフィルタ（ＬＰＦ）を設けることが好ましい。
【００２４】
積分アンプ３１は、放射線画像検出器１０から出力された電荷信号を蓄積するコンデンサ３１ａとコンデンサ３１ａに蓄積された電荷信号を放電させるためのリセットスイッチ３１ｂとを備えている。
【００２５】
第１および第２のサンプルホールド回路３２，３３は、それぞれスイッチ３２ａ，３３ａと、積分アンプ３１から出力された出力電圧を保持するコンデンサ３２ｂ，３３ｂと、コンデンサ３２ｂに保持された出力電圧を出力するバッファアンプ３２ｃ，３３ｃとを備えている。
【００２６】
また、積分アンプ３１のリセットスイッチ３１ｂ、第１および第２のサンプルホールド回路３２，３３のスイッチ３２ａ，３３ａ、およびＡ／Ｄ変換器３５などの動作タイミングについては、後述の検出部制御手段４１により制御される。
【００２７】
具体的には、検出部制御手段４１から出力されるタイミングクロック（制御信号）の信号がＬｏｗ状態の時には、積分アンプ３１のリセットスイッチ３１ｂが短絡（ＯＮ）され、コンデンサ３１ａに蓄積された電荷が放電されてリセットされ、Ｈｉｇｈ状態の時には、積分アンプ３１のリセットスイッチ３１ｂが開放（ＯＦＦ）され、積分アンプ３１が積分状態となるように構成されている。
【００２８】
また、図１においては、放射線画像検出器１０の１本の線状電極１５ａに接続される画像信号検出部３０のみを示しており、その他の線状電極１５ａに接続される画像信号検出部３０は図示省略してある。
【００２９】
また、Ａ／Ｄ変換器３５は、各線状電極１５ａについてそれぞれ設けるようにしてもよいし、マルチプレクサを設けて差分アンプ３４から出力されたアナログ信号を各線状電極毎に切り替えて１つのＡ／Ｄ変換器３５に入力するようにしてもよい。
【００３０】
同期センサ４０は、放射線画像検出器１０における読取光の走査開始位置に配置されており、読取光源部２０から照射される読取光を検出した際に、その旨を示す信号を検出部制御手段４１へ出力する。
【００３１】
検出部制御手段４１は、同期センサ４０からの読取光を検出した旨を示す信号に基づいて、画像信号検出部３０の動作タイミングを制御するタイミングクロック（制御信号）を出力する。
【００３２】
次に、本放射線画像記録読取装置１の作用について説明する。図３（Ａ）、（Ｂ）に放射線画像検出器の作用を説明するための図を示す。なお、図３（Ａ）、（Ｂ）においては、絶縁層１７および遮光ストライプ１８を省略して示している。
【００３３】
まず、放射線画像検出器１０の第１の電極層１１が負に帯電し、第２の電極層１５が正に帯電するように電圧印加された状態において、放射線源から被写体５０に向けて放射線Ｌ１が照射される。読取光源から射出された放射線Ｌ１は、図３（Ａ）に示すように、被写体５０全体に照射され、被写体５０において放射線を透過する透過部５０ａを透過した放射線が放射線画像検出器１０の第１の電極層１１側から照射される。なお、被写体５０において放射線を透過しない遮断部５０ｂに照射された放射線は放射線画像検出器１０には照射されない。
【００３４】
そして、放射線画像検出器１０に照射された放射線Ｌ１は、第１の電極層１１を透過し、記録用光導電層１２に照射される。そして、記録用光導電層１２において放射線の照射により電荷対が発生し、そのうち正の電荷は第１の電極層１１に帯電した負の電荷と結合して消滅し、負の電荷は潜像電荷として記録用光導電層１２と電荷輸送層１３との界面に形成される蓄電部１６に蓄積されて放射線画像が記録される。
【００３５】
次に、図３（Ｂ）に示すように、第１の電極層１１が接地された状態において、第２の電極層１５側から読取光Ｌ２による走査が行われる。
【００３６】
ここで、上記読取光Ｌ２による走査時における読取光源部２０の動作タイミングと、同期センサ４０の動作タイミングと、読取光Ｌ２の放射線画像検出器１０への入射位置と、検出部制御手段４１から出力されるチャージアンプクロックとを示すタイミングチャートを図４に示す。
【００３７】
初期状態（走査開始前）では、検出部制御手段４１からＬｏｗ状態の信号が出力されており、画像信号検出部３０においては積分アンプ３１のリセットスイッチ３１ｂが短絡され、コンデンサ３１ａに蓄積された電荷が放電されてリセットされた状態となっている。
【００３８】
読取光源部２０が駆動されて、光源２１から読取光Ｌ２が出射されるとともに、光源２１が待機位置から移動されて走査が開始されると、放射線画像検出器１０における読取光Ｌ２の走査開始位置に配置されている同期センサ４０により読取光Ｌ２が検出され、同期センサ４０から読取光を検出した旨を示す信号が出力される。検出部制御手段４１は、同期センサ４０からの読取光を検出した旨を示す信号に基づいて、画像信号検出部３０の動作タイミングを制御するタイミングクロックを出力する。
【００３９】
ここで、タイミングクロックについて詳細に説明する。このタイミングクロックのパルス周期は、読取光源部２０の光源２１の走査速度と放射線画像検出器１０から検出する画像の画素ピッチとから規定される画素周期（１画素あたりの走査時間）と等しい。また、放射線画像検出器１０には、遮光ストライプによって読取光Ｌ２が間歇的に遮光され、パルス状に読取光Ｌ２が入射するが、一回の入射時間をｔ２とすると、この入射時間ｔ２の前後に非入射時間ｔ１およびｔ３を加えた時間を、画像信号検出部３０の１画素検出あたりの積分時間ｔ０としており、タイミングクロックのパルス幅（時間）は上記積分時間ｔ０と等しい。
【００４０】
検出部制御手段４１は、光源２１が放射線画像検出器１０における最初の画素位置に到達する時間に合わせて、上記のタイミングクロックを出力する。
【００４１】
検出部制御手段４１から上記のタイミングクロックが出力され、画像信号検出部３０において、タイミングクロックのパルスの立上りが検出されると、積分アンプ３１のリセットスイッチ３１ｂが開放され、積分アンプ３１が積分開始状態となり、非入射時間ｔ１が経過した後、読取光Ｌ２が放射線画像検出器１０に入射する。
【００４２】
放射線画像検出器１０に入射した読取光Ｌ２は、図３（Ｂ）に示すように、線状電極１５ａを透過して読取用光導電層１４に照射される。そして、読取光Ｌ２の照射により読取用光導電層１４において発生した正の電荷が蓄電部１６における潜像電荷と結合するとともに、負の電荷が第２の電極層１５の線状電極１５ａに帯電した正の電荷と結合し、その結合した電荷量に応じた大きさの電荷信号が積分アンプ３１のコンデンサ３１ａに蓄積される。そして、読取光Ｌ２の入射時間ｔ２経過後、非入射時間ｔ３が経過したとき積分アンプ３１のリセットスイッチ３１ｂが短絡され、コンデンサ３１ａに蓄積された電荷が放電されてリセットされる。
【００４３】
なお、本実施の形態では、上記のようにして積分アンプ３１から出力された出力電圧を相関２重サンプリングすることにより画像信号を取得する。具体的には、積分アンプ３１のリセットスイッチ３１ｂが開放される前に２つのサンプルホールド回路３２,３３のスイッチ３２ａ,３３ａを短絡しておく（サンプルモード）。そして、積分アンプ３１のリセットスイッチ３１ｂが開放された直後に、第１のサンプルホールド回路３２のスイッチ３２ａが開放され、サンプルホールド回路３２のコンデンサ３２ｂによりそのときの積分アンプ３１の出力電圧が保持される（ホールドモード）。そして、その後、積分時間ｔ０経過前直前に、第２のサンプルホールド回路３３のスイッチ３３ａが開放され、上記サンプルホールド回路３３のコンデンサ３３ｂにそのときの積分アンプ３１の出力電圧が保持される（ホールドモード）。その後、積分アンプ３１のリセットスイッチ３１ｂが短絡され、コンデンサ３１ａに蓄積された電荷が放電される。
【００４４】
上記のようにして第１および第２のサンプルホールド回路３２，３３により保持された出力電圧は、それぞれバッファアンプ３２Ｃ，３３Ｃを通って差動アンプ３４に出力される。そして、差動アンプ３４において上記２つの出力電圧の差分が算出され、Ａ／Ｄ変換器３５に出力される。Ａ／Ｄ変換器３５は、入力されたアナログ画像信号である差分信号をデジタル変換してデジタル画像信号として出力する。
【００４５】
上記のようにしてＡ／Ｄ変換器３５からデジタル画像信号が出力された後は、２つのサンプルホールド回路３２,３３のスイッチ３２ａ,３３ａが短絡され、コンデンサ３２ｂに蓄積された電荷が放電される。そして、再び、積分アンプ３１におけるリセットスイッチ３１ｂが開放されて積分が開始される。
【００４６】
そして、図１の矢印Ｙ方向に光源２１が移動するのと同期して上記のよう画像信号の検出が繰り返され、最終的には放射線画像検出器１０の全面分のデジタル画像信号が検出される。
【００４７】
上記で説明したように、放射線画像検出器１０の読取光Ｌ２が照射される側に、遮光ストライプ１８を設けたことにより、連続的に読取光Ｌ２を発する読取光源部２０を用いて走査を行った場合でも、遮光ストライプによって読取光Ｌ２が間歇的に遮光され、放射線画像検出器１０にパルス状に読取光Ｌ２が照射されるようになるため、パルス光源を用いることなく、放射線画像検出器１０の応答遅れによるノイズの発生を回避して、読み取られた放射線画像の画質の劣化を防止することができる。
【００４８】
なお、本実施の形態においては、積分時間ｔ０内において線状電極１５ａへの読取光入射時間ｔ２の前に読取光Ｌ２を入射させない非入射時間ｔ１が存在するように画像信号検出部３０の動作タイミングを制御するようにしたので、上記のように相関２重サンプリングにより画像信号を取得する場合において、積分開始直後の読取光の照射によるオフセットの発生を防止し、読み取られた放射線画像のＳ／Ｎの劣化を防止することができるとともに、積分時間ｔ０内において線状電極１５ａへの読取光入射時間ｔ２の後に読取光Ｌ２を入射させない非入射時間ｔ３が存在するように画像信号検出部３０の動作タイミングを制御するようにしたので、次の積分時間に影響を及ぼすことなく、読取光入射時間ｔ２において照射された読取光Ｌ２に応じて放射線画像検出器１０で発生した信号電流の応答遅れ分を検出することができるため、画像信号検出部３０の信号検出効率を向上させることができる。
【００４９】
上記実施の形態の画像信号検出部３０においては、第１および第２のサンプルホールド回路３２，３３を設け、いわゆる相関２重サンプリング処理を行うようにしたが、必ずしもその形態に限らず、サンプルホールド回路３３を１つだけ設け、そのサンプルホールド回路３３で積分時間の経過前直前に保持した積分アンプの出力電圧を画像信号として取得するようにしてもよい。
【００５０】
また、上記実施の形態においては、放射線源、放射線画像検出器１０、読取光源部２０、画像信号検出部３０、同期センサ４０および検出部制御手段４１から放射線画像記録読取装置を構成するようにしたが、放射線源を設けずに放射線画像検出器１０、読取光源部２０、画像信号検出部３０、同期センサ４０および検出部制御手段４１から放射線画像読取装置を構成するようにしてもよい。
【図面の簡単な説明】
【００５１】
【図１】本発明の放射線画像読取装置の一実施の形態を用いた放射線画像記録読取装置の概略構成図
【図２】図１に示す放射線画像記録読取装置における放射線画像検出器の概略構成図
【図３】図１に示す放射線画像記録読取装置における放射線画像検出器の作用を説明するための図
【図４】図１に示す放射線画像記録読取装置の読取光による走査時における、読取光源部の動作タイミングと、同期センサの動作タイミングと、読取光の放射線画像検出器１０への入射位置と、検出部制御手段から出力されるチャージアンプクロックとを示すタイミングチャートを示す図
【図５】従来技術における読取光の照射時間と積分アンプの積分時間との関係を示すタイミングチャート、および読取光が照射された場合における放射線画像検出器から出力される信号電流の大きさ、積分アンプの出力電圧の大きさを示す図
【符号の説明】
【００５２】
１    放射線画像記録読取装置
１０    放射線画像検出器
１１    第１の電極層
１２    記録用光導電層
１３    電荷輸送層
１４    読取用光導電層
１５    第２の電極層
１６    蓄電部
１７    絶縁層
１８    遮光ストライプ
２０    読取光源部
３０    画像信号検出部
３１    積分アンプ
３２    第１のサンプルホールド回路
３３    第２のサンプルホールド回路
３４    差分アンプ
３５    Ａ／Ｄ変換器
４０    同期センサ
４１    検出部制御手段
５０    被写体
【図１】
2005164415.tif 000003
【図２】
2005164415.tif 000004
【図３】
2005164415.tif 000005
【図４】
2005164415.tif 000006
【図５】
2005164415.tif 000007